(57)【特許請求の範囲】
【請求項１】
少なくともカラーフィルタ基板と光学フィルム層から構成される光学部材であって、
前記カラーフィルタ基板は、少なくとも長尺なプラスチックフィルムの基板の上にカラーフィルタ層が形成された構成であり、
前記基板の前記カラーフィルタ層が形成されない側の面に粘着剤層を介して前記光学フィルム層が形成され、
前記カラーフィルタ基板には、ブラックマトリックスと着色層のパターンとが形成されており、
前記光学フィルム層は、シート状の楕円偏光板であり、
前記シート状の楕円偏光板は、偏光板、粘着剤層、１／２波長板、粘着剤層、１／４波長板との積層で構成され、
前記シート状の楕円偏光板は、前記カラーフィルタ基板に形成してある前記ブラックマトリックスと前記着色層のパターンと重なる位置で、
前記カラーフィルタ基板上の長尺の長手方向に沿って平行に所定間隔を隔てて２枚以上配置して形成されることを特徴とする光学部材。
【請求項２】
前記粘着剤層を形成するための粘着剤は、ベースポリマーとして、（メタ）アクリル系ポリマー、シリコーン系ポリマー、ポリエステル、ポリウレタン、ポリアミド、ポリエーテル、フッ素系ポリマー及びゴム系ポリマーのポリマーを適宜に選択して用いることを特徴とする請求項１に記載の光学部材。
【請求項３】
前記光学部材の総厚が０．３ｍｍ以下であり、ロール状に巻き取ることが可能であることを特徴とする請求項１または請求項２に記載の光学部材。
【請求項４】
少なくともカラーフィルタ基板と光学フィルム層から構成される光学部材の製造方法であって、
前記カラーフィルタ基板は、少なくとも長尺なプラスチックフィルムの基板の上に形成された構成であり、
前記カラーフィルタ基板には、ブラックマトリックスと着色層のパターンとが形成されており、
前記基板の前記カラーフィルタ層が形成されない側の面に粘着剤層を介して前記光学フィルム層を形成する工程を備え、
前記光学フィルム層は、シート状の楕円偏光板であり、
前記シート状の楕円偏光板は、偏光板、粘着剤層、１／２波長板、粘着剤層、１／４波長板との積層で構成され、
前記シート状の楕円偏光板は、前記カラーフィルタ基板に形成してある前記ブラックマトリックスと前記着色層のパターンと重なる位置で、
前記カラーフィルタ基板上の長尺の長手方向に沿って平行に所定間隔を隔てて２枚以上配置して形成されることを特徴とする光学部材の製造方法。
【請求項５】
前記光学部材の総厚が０．３ｍｍ以下であり、
前記基板の前記カラーフィルタ層が形成されない側の面に粘着剤層を介して前記光学フィルム層を形成する工程と、
前記工程の後、前記光学部材をロール状に巻き取る工程と、
を備えたことを特徴とする請求項４に記載の光学部材の製造方法。
【請求項６】
前記粘着剤層を形成するための粘着剤は、ベースポリマーとして、（メタ）アクリル系ポリマー、シリコーン系ポリマー、ポリエステル、ポリウレタン、ポリアミド、ポリエーテル、フッ素系ポリマー及びゴム系ポリマーのポリマーを適宜に選択して用いることを特徴とする請求項４または請求項５に記載の光学部材の製造方法。
【発明の詳細な説明】
【技術分野】
【０００１】
この発明は、カラーフィルタ機能と偏光機能を有する光学部材に関し、特に、今までにない薄型で長尺なロール状に巻き取ることができる光学部材とその製造方法に関する。
【背景技術】
【０００２】
液晶表示装置や有機ＥＬディスプレイなどの各種画像表示装置では、一般に、偏光制御や光学的な補償を行うために偏光板や位相差板あるいは楕円偏光板を用いている。更に、カラー表示を行うカラー液晶表示装置やカラー有機ＥＬディスプレイではカラーフィルタ基板を用いている（特許文献１など）。
【０００３】
このようなカラー液晶表示装置は、シート状のガラス基板に、ブラックマトリックス、赤（Ｒ）／緑（Ｇ）／青（Ｂ）の３原色からなる着色層および共通透明電極層を備えたカラーフィルタ基板に配向層を形成し、薄膜トランジスタ（ＴＦＴ）および画素電極を備えたＴＦＴ基板に配向層を形成し、これら２枚の基板を、配向層を対向させて所定の間隙を保持し、この間隙に液晶材料を満たして液晶層を形成し、液晶層の周囲でカラーフィルタ基板とＴＦＴ基板とをシール材料にて接着固定して製造した液晶パネルを用いている。偏光を制御して画像表示を行うために、この液晶パネルのカラーフィルタ基板とＴＦＴ基板のそれぞれの外側の面に偏光板を貼り付けて透過型のカラー液晶表示装置としている。
【０００４】
更に、カラー液晶表示装置の裏面に光反射機能を設け、表示装置の表面から入射する光の反射光を利用して画像表示を行う反射型及び半透過型の液晶表示装置では、液晶パネルのカラーフィルタ基板に円偏光板を貼り付けている。
【０００５】
有機ＥＬディスプレイのカラー化方式には、ＲＧＢ塗り分け方式や色変換方式、マイクロキャビティ方式、カラーフィルタ方式など様々な方式が提案されている。この内、カラーフィルタ方式では、白色発光にＲＧＢカラーフィルタ基板を組み合わせた方式がある。これは、ガラスやプラスチックからなる透明基板にＴＦＴ付きカラーフィルタを形成したカラーフィルタ基板を用いる。先ず、透明基板にＴＦＴを形成し、次にＲＧＢカラーフィルタ層を形成する。次に、カラーフィルタ層の上に、ＴＦＴに接続された透明なアノード電極を形成する。次に、正孔輸送層や白色発光層、電子輸送層などから成る有機ＥＬ層を形成し、ついでカソード電極を形成する。カソード電極は、通常、フッ化リチウム（ＬｉＦ）やアルミニウム（Ａｌ）から成り、共通電極として形成される。次に、表示領域を覆うように封止層を形成し、最後にカラーフィルタ基板の外側に円偏光板を貼り付けて完成する。
【先行技術文献】
【特許文献】
【０００６】
【特許文献１】特開２００８−２０３４４７号公報
【発明の概要】
【発明が解決しようとする課題】
【０００７】
ところで、このようなカラー液晶表示装置の製造方法では、シート状のカラーフィルタ基板とＴＦＴ基板を用いてシート状の液晶パネルを製造した後、予めシート状にカットされた偏光板、あるいは予めシート状にカットされた円偏光板を一枚ごとに貼り付ける製造方法であるため、液晶の配列方向と、偏光板または楕円偏光板など光学フィルム層の光軸の方向とが液晶パネル毎にばらつく。液晶の配列方向と光学フィルム層の光軸がばらつくと、コントラストの低下等、表示特性が低下するという不具合があった。
【０００８】
また、シート状の光学フィルム層を貼り付ける工程において、ゴミや異物の挟み込みを避けることはできないため不良の発生による歩留り低下の問題があった。また、カラーフィルタ基板はシート状のガラスであるので、いわゆるロールから巻き出してロールに巻き取るロール・ツー・ロール方式で連続的に搬送しながら製造して生産性を高め、低コストでカラー液晶表示装置を製造する部材としては使えないという問題があった。
【０００９】
この発明は、かかる点に鑑みてなされたもので、カラーフィルタ機能と偏光機能を有し、表示特性に優れた薄型で長尺なロール状に巻き取ることができる光学部材とその製造方法を提供することを目的としている。
【課題を解決するための手段】
【００１０】
前記課題を解決し、かつ目的を達成するために、この発明は、以下のように構成した。
【００１１】
請求項１に記載の発明は、少なくともカラーフィルタ基板と光学フィルム層から構成される光学部材であって、
前記カラーフィルタ基板は、少なくとも長尺なプラスチックフィルムの基板の上にカラーフィルタ層が形成された構成であり、
前記基板の前記カラーフィルタ層が形成されない側の面に粘着剤層を介して前記光学フィルム層が形成され、
前記カラーフィルタ基板には、ブラックマトリックスと着色層のパターンとが形成されており、
前記光学フィルム層は、シート状の楕円偏光板であり、
前記シート状の楕円偏光板は、偏光板、粘着剤層、１／２波長板、粘着剤層、１／４波長板との積層で構成され、
前記シート状の楕円偏光板は、前記カラーフィルタ基板に形成してある前記ブラックマトリックスと前記着色層のパターンと重なる位置で、
前記カラーフィルタ基板上の長尺の長手方向に沿って平行に所定間隔を隔てて２枚以上配置して形成されることを特徴とする光学部材である。
【００１３】
請求項２に記載の発明は、前記粘着剤層を形成するための粘着剤は、ベースポリマーとして、（メタ）アクリル系ポリマー、シリコーン系ポリマー、ポリエステル、ポリウレタン、ポリアミド、ポリエーテル、フッ素系ポリマー及びゴム系ポリマーのポリマーを適宜に選択して用いることを特徴とする請求項１に記載の光学部材である。
【００１５】
請求項３に記載の発明は、前記光学部材の総厚が０．３ｍｍ以下であり、ロール状に巻き取ることが可能であることを特徴とする請求項１または請求項２に記載の光学部材である。
【００１６】
請求項４に記載の発明は、少なくともカラーフィルタ基板と光学フィルム層から構成される光学部材の製造方法であって、
前記カラーフィルタ基板は、少なくとも長尺なプラスチックフィルムの基板の上に形成された構成であり、
前記カラーフィルタ基板には、ブラックマトリックスと着色層のパターンとが形成されており、
前記基板の前記カラーフィルタ層が形成されない側の面に粘着剤層を介して前記光学フィルム層を形成する工程を備え、
前記光学フィルム層は、シート状の楕円偏光板であり、
前記シート状の楕円偏光板は、偏光板、粘着剤層、１／２波長板、粘着剤層、１／４波長板との積層で構成され、
前記シート状の楕円偏光板は、前記カラーフィルタ基板に形成してある前記ブラックマトリックスと前記着色層のパターンと重なる位置で、
前記カラーフィルタ基板上の長尺の長手方向に沿って平行に所定間隔を隔てて２枚以上配置して形成されることを特徴とする光学部材の製造方法である。
【００１８】
請求項５に記載の発明は、前記光学部材の総厚が０．３ｍｍ以下であり、
前記基板の前記カラーフィルタ層が形成されない側の面に粘着剤層を介して前記光学フィルム層を形成する工程と、
前記工程の後、前記光学部材をロール状に巻き取る工程と、
を備えたことを特徴とする請求項４に記載の光学部材の製造方法である。
【００２０】
請求項６に記載の発明は、前記粘着剤層を形成するための粘着剤は、ベースポリマーとして、（メタ）アクリル系ポリマー、シリコーン系ポリマー、ポリエステル、ポリウレタン、ポリアミド、ポリエーテル、フッ素系ポリマー及びゴム系ポリマーのポリマーを適宜に選択して用いることを特徴とする請求項４または請求項５に記載の光学部材の製造方法である。
【発明の効果】
【００２１】
前記構成により、この発明は、以下のような効果を有する。
【００２２】
請求項１、請求項２、請求項４、請求項６に記載の発明では、カラーフィルタ基板は、少なくとも長尺なプラスチックフィルムの基板の上にカラーフィルタ層が形成されており、光学フィルム層と一体化された光学部材は、ロール・ツー・ロール方式によるカラー液晶表示装置の製造に用いることができ、生産性が向上し低コスト化が可能となる。また、基板のカラーフィルタ層が形成されない側の面に粘着剤層を介して光学フィルム層が形成されており、カラーフィルタ基板と光学フィルム層とが予め粘着剤層を介して一体化された光学部材であるため、従来の如く液晶パネルを製造後にシート状の光学フィルム層を貼り付ける工程が省けると共に、この貼り付ける工程におけるゴミ、異物等の挟み込みによる不良発生を防ぐことができる。このようにして、液晶の配列方向と光学フィルム層の光軸の方向とのばらつきが少なく、表示特性に優れたカラー液晶表示装置を可能とする薄型で長尺な光学部材を得ることができる。また、予め、長尺なカラーフィルタ基板と光学フィルム層とを一体化しているため、カラーフィルタ基板の画素配列の方向と光学フィルム層の光軸とのばらつきが少なく、表示特性に優れたカラー液晶表示装置を可能とする薄型で長尺な光学部材を簡便に製造することができる。また、光学フィルム層は、シート状の楕円偏光板であり、シート状の楕円偏光板は、偏光板、粘着剤層、１／２波長板、粘着剤層、１／４波長板との積層で構成され、シート状の楕円偏光板は、カラーフィルタ基板に形成してあるブラックマトリックスと着色層のパターンと重なる位置で、カラーフィルタ基板上の長尺の長手方向に沿って平行に所定間隔を隔てて２枚以上配置して形成され、長尺なカラーフィルタ基板と光学フィルム層とは、液晶パネルに組み立てる前に一体化しているため、液晶の配列方向と光学フィルム層の光軸の方向とのばらつきが少なく、表示特性に優れたカラー液晶表示装置を可能とする、薄型で長尺な光学部材を得ることができる。また、前述と同様に、長尺なカラーフィルタ基板と光学フィルム層とは、予め一体化しているため、カラーフィルタ基板の画素配列の方向と光学フィルム層の光軸とのばらつきが少なく、表示特性に優れたカラー液晶表示装置を可能とする、薄型で長尺な光学部材を簡便に製造することができる。
【００２６】
請求項３に記載の発明は、光学部材の総厚が０．３ｍｍ以下であり、ロール状に巻き取ることが可能であり、０．３ｍｍを越える厚さでは、光学部材の曲げられる曲率半径が大きくなるので、巻き取るロールコアの直径が大きくなり、巻き取ったロールの最大径を同一として比較した場合、１本のロールに対しての巻き長さが少なくなる。
【００２７】
請求項５に記載の発明は、光学部材の総厚が０．３ｍｍ以下であり、基板のカラーフィルタ層が形成されない側の面に粘着剤層を介して光学フィルム層を形成する工程の後、光学部材をロール状に巻き取る工程を備え、光学部材の総厚が０．３ｍｍ以下であると、より長尺のロール状の光学部材を１本のロールにすることができる。その結果、ロール・ツー・ロール方式でのカラー液晶表示装置の製造に用いた場合に、ロール状の光学部材の交換による製造時間並びに部材のロスが低減され、生産性が向上し、低コストが可能となる。光学部材の総厚が０．３ｍｍを越える厚さでは、１本のロールに対しての巻き長さが少なくなる。
【図面の簡単な説明】
【００２８】
【図１】光学部材の第１の実施の形態を示す外形模式図である。
【図２】光学部材の第１の実施の形態の断面図である。
【図３】光学部材の第２の実施の形態を示す外形模式図である。
【図４】光学部材の第２の実施の形態の断面図である。
【図５】光学部材の製造方法の第１の実施の形態を示す外形模式図である。
【図６】光学部材の製造方法の第２の実施の形態を示す外形模式図である。
【発明を実施するための形態】
【００２９】
以下、この発明の光学部材及びその製造方法の実施の形態について説明する。この発明の実施の形態は、発明の最も好ましい形態を示すものであり、この発明はこれに限定されない。
［光学部材の第１の実施の形態］
この光学部材の第１の実施の形態を、図１及び図２に基づいて説明する。図１は光学部材の第１の実施の形態を示す外形模式図、図２は光学部材の第１の実施の形態の断面図である。
【００３０】
この光学部材１は、少なくともカラーフィルタ基板３と光学フィルム層２から構成される。カラーフィルタ基板３は、少なくとも長尺なプラスチックフィルムの基板３ａの上にカラーフィルタ層３ｂが形成されており、基板３ａのカラーフィルタ層３ｂが形成されない側の面に粘着剤層４を介して光学フィルム層２が形成されている。
【００３１】
カラーフィルタ基板３は、少なくとも長尺なプラスチックフィルムの基板３ａの上にカラーフィルタ層３ｂが形成されており、光学フィルム層２と一体化された光学部材１は、ロールから巻き出してロールに巻き取るロール・ツー・ロール方式によるカラー液晶表示装置の製造に用いることができ、生産性が向上し、低コスト化が可能となる。
【００３２】
また、基板３ａのカラーフィルタ層３ｂが形成されない側の面に粘着剤層４を介して光学フィルム層２が形成されており、カラーフィルタ基板３と光学フィルム層２とが予め粘着剤層４を介して一体化された光学部材１であるため、従来の如く液晶パネルを製造後にシート状の光学フィルム層２を貼り付ける工程が省けると共に、この貼り付ける工程におけるゴミ、異物等の挟み込みによる不良発生を防ぐことができる。カラーフィルタ基板３と光学フィルム層２とは共に長尺な形状とし、ロール・ツー・ロール方式により、一般的によく用いられるエッジ・ポジション・コントロール装置（ＥＰＣ）を利用して、容易にフィルムの長手方向の位置を揃えて貼り付けることができる。
【００３３】
このようにして、液晶の配列方向と光学フィルム層２の光軸の方向とのばらつきが少なく、表示特性に優れたカラー液晶表示装置を可能とする薄型で長尺な光学部材１を得ることができる。また、カラーフィルタ基板３の画素配列の方向と光学フィルム層２の光軸とのばらつきが少なく、表示特性に優れたカラー液晶表示装置を可能とする薄型で長尺な光学部材１を簡便に製造することができる。
【００３４】
カラーフィルタ基板３は、少なくとも長尺なプラスチックフィルムの基板３ａの上にカラーフィルタ層３ｂが形成されているが、その他ガスバリア層、ブラックマトリックス、ＲＧＢの着色層、共通透明電極層を備えていることが望ましい。通常、ブラックマトリックスと着色層は縦横方向に規則正しく配列され、四角形のパターンを形成しているのが一般的である。
【００３５】
長尺なプラスチックフィルムの基板３ａは、透明な樹脂フィルムを用いることができ、その種類は特に限定されない。好適なプラスチックフィルムの例として、ポリカーボネート、ポリスルホン系樹脂、オレフィン系樹脂、環状ポリオレフィン系樹脂、などを挙げることができる。プラスチックフィルムの基板３ａの厚さは、例えば５０〜２００μｍ程度である。
【００３６】
ガスバリア層は、ＳｉＯｘ、ＳｉＮｘなどの薄膜をスパッタ法、ＣＶＤ法、真空蒸着法等の真空成膜法により形成される。ガスバリア層の厚さとしては、例えば１０〜１００ｎｍ程度である。ブラックマトリックスは、クロム等の金属薄膜をスパッタ法、真空蒸着法等の真空成膜法により形成し、この薄膜をウェットエッチング法、ドライエッチング法でパターニングする方法があるが、長尺な基板に用いる例としては、カーボン微粒子、金属酸化物等の遮光性粒子を含有させた感光性樹脂層をスリットコーティング法、マイクログラビアコーティング法等により形成し、この感光性樹脂層をパターニングする方法を挙げることができる。感光性樹脂層によるブラックマトリックスの厚さとしては、例えば０．５〜２μｍ程度である。
【００３７】
ＲＧＢの着色層は、上記ブラックマトリクスの形成と同様に、着色された感光性樹脂層を形成してパターニングする工程を、赤色、緑色、青色それぞれの樹脂で繰り返して形成する方法、または、ＲＧＢの着色樹脂インクをインクジェット法により、ＲＧＢの各色パターン別に塗布形成する方法を挙げることができる。ＲＧＢの着色層の厚さとしては、例えば１〜２μｍ程度である。着色層はＲＧＢの３原色だけで無く、ＲＧＢに黄（Ｙ）あるいはエメラルド（青緑）を加えた４色や、ＲＧＢにＹおよびシアン（Ｃ）を加えた５色などの多色でも良い。共通透明電極層は、酸化インジウムスズ（ＩＴＯ）、酸化インジウム亜鉛（ＩＺＯ）、酸化亜鉛（ＺｎＯ）等の薄膜をスパッタ法、真空蒸着法等で形成する方法があり、特に、ＩＴＯをスパッタ法で形成する方法が最も一般的である。共通透明電極層の厚みとしては、例えば５０〜２００ｎｍ程度である。
【００３８】
光学フィルム層２は、偏光板、位相差板及び円偏光板のうちから選ばれる１種以上であればいずれでも良い。カラーフィルタ基板と一体化する光学フィルム層を、偏光板にすることで、ロール・ツー・ロール方式による透過型のカラー液晶表示装置の製造に適用できる。また、光学フィルム層を、位相差板とすることで、ロール・ツー・ロール方式による反射型、半透過型のカラー液晶表示装置の製造に適用できる。この場合偏光板は、カラー液晶表示装置の最後製造工程で貼合する。また、光学フィルム層には予め偏光板と位相差板を組み合わせた楕円偏光板とすることで、ロール・ツー・ロール方式による反射型、半透過型のカラー液晶表示装置の製造に適用できる。
【００３９】
偏光板は、入射光から直線偏光を取り出す機能を有するものであり、その種類は特に限定されない。好適な偏光板の例として、ポリビニルアルコール系樹脂に二色性色素が吸着配向している偏光フィルムの両面に透明な保護層を設けた構成のものを挙げることができる。二色性色素としては、ヨウ素または二色性の有機染料が用いられる。また、透明な保護層としては、例えば、トリアセチルセルロースフィルムなどが用いられる。この保護層は、偏光フィルムの両面ではなく片面だけに設けられていても良い。偏光フィルムの厚さは、例えば５〜５０μｍ程度であり、偏光板全体の厚さとしては、例えば５０〜２００μｍ程度である。
【００４０】
位相差板は、通常、樹脂の延伸フィルムで構成される。位相差板を構成する樹脂の例としては、ポリカーボネート、ポリスチレン、ポリメチルメタクリレート、ポリスルホン系樹脂、オレフィン系樹脂、環状ポリオレフィン系樹脂、セルロースアセテート系樹脂、などを挙げることができる。位相差板の厚さは、例えば１０〜１００μｍ程度である。
【００４１】
また、位相差板には、透明な基板上に重合性液晶組成物を塗布して配向させ、その後配向を固定させて形成する塗布型の位相差板を用いることもできる。塗布型の位相差板の基板には、透明であればその材質は特に限定されない。好適な基板の例として、セラミックス、樹脂等を挙げることができる。基板の樹脂としては、トリアエチルセルロース、ポリエチレンテレフタレート、ポリオレフィン、ポリカーボネート、ポリエーテルスルホンなどを用いることができる。この塗布型の位相差板の場合、長尺なフィルム基板を用いたロール・ツー・ロール法等の連続法により、長尺でつなぎ目の無い位相差板が得られる。重合性液晶組成物としては、単独又は他の液晶化合物との組成物において液晶性を示す、重合性基を有する化合物、例えば、特開平７−２９４７３５号公報、特開平８−３１１１号公報、特開２００２−３０８８３１号公報に記載されているような、重合性官能基を有する棒状重合性液晶化合物が挙げることができる。塗布型の位相差板の厚さは、例えば０．５〜１０μｍ程度であり、樹脂基板を用いた場合の位相差板全体の厚さは、例えば５０〜２００μｍ程度である。
【００４２】
円偏光板は、直線偏光板と１／４波長板との積層または、直線偏光板と１／２波長板と１／４波長板との積層で構成される。
【００４３】
この実施の形態では、光学フィルム層２が、偏光板１１と１／２波長板２２と１／４波長板３３との積層で構成される。
【００４４】
粘着剤層４を形成するための粘着剤は、ベースポリマーとして、例えば、（メタ）アクリル系ポリマー、シリコーン系ポリマー、ポリエステル、ポリウレタン、ポリアミド、ポリエーテル、フッ素系ポリマー及びゴム系ポリマー等のポリマーを適宜に選択して用いることができる。
【００４５】
粘着剤層４は、吸湿による発泡現象や剥がれ現象の防止、熱膨張差等による光学特性の低下や画像表示パネルの反り防止、ひいては高品質で耐久性に優れる画像表示装置の形成性等の点より、吸湿性が低くて耐熱性に優れるものが好ましい。
【００４６】
これらのなかでも、光学的透明性に優れ、適宜な濡れ性と凝集性と接着性の粘着特性を示す（メタ）アクリル系ポリマーが好ましい。（メタ）アクリル系ポリマーとは、アルキル（メタ）アクリレートを、主成分のモノマー単位として含有する重合体をいう。なお、この明細書では、アクリレートまたは／及びメタクリレートを、（メタ）アクリレートと表す。
【００４７】
粘着剤層４の形成は、偏光子、偏光板または位相差板等の光学フィルムに粘着剤層４を積層することにより行う。形成方法としては、特に制限されず、光学フィルムに粘着剤溶液を塗布し乾燥する方法、粘着剤層等を設けた離型シートにより転写する方法等があげられる。
【００４８】
離型シートの構成材料としては、紙、ポリエチレン、ポリプロピレン、ポリエチレンテレフタレート等の合成樹脂フィルム、ゴムシート、紙、布、不織布、ネット、発泡シートや金属箔、それらのラミネート体等の適宜な薄葉体等があげられる。離型シートの表面には、粘着剤層からの剥離性を高めるため、必要に応じてシリコーン処理、長鎖アルキル処理、フッ素処理等の低接着性の剥離処理が施されていても良い。
【００４９】
粘着剤層４の厚さは、一般的には、１〜３０μｍであり、５〜２５μｍが好ましく、特に５〜１５μｍがより好ましい。
［光学部材の第２の実施の形態］
この光学部材の第２の実施の形態を、図３及び図４に基づいて説明する。図３は光学部材の第２の実施の形態を示す外形模式図、図４は光学部材の第２の実施の形態の断面図である。この光学部材の第２の実施の形態は、第１の実施の形態と同じ構成は、同じ符号を付して説明を省略する。
【００５０】
この第２の実施の形態では、光学フィルム層２は、シート状の楕円偏光板６０が、少なくとも２枚以上カラーフィルタ基板３上の長尺の長手方向に平行に配置して形成されている。シート状の楕円偏光板６は、カラーフィルタ基板３に形成してあるブラックマトリックスと着色層のパターンと重なる位置で配置されている。
【００５１】
シート状の楕円偏光板６０は、偏光板１１、粘着剤層４５、１／２波長板２２、粘着剤層４６、１／４波長板３３との積層で構成される。光学フィルム層２は、シート状の楕円偏光板６０が、少なくとも２枚以上カラーフィルタ基板３上の長尺の長手方向に平行に配置して形成され、液晶の配列方向と光学フィルム層２の光軸の方向とのばらつきが少なく、表示特性に優れたカラー液晶表示装置を可能とする、薄型で長尺な光学部材１を得ることができる。また、カラーフィルタ基板３の画素配列の方向と光学フィルム層２の光軸とのばらつきが少なく、表示特性に優れたカラー液晶表示装置を可能とする、薄型で長尺な光学部材１を簡便に製造することができる。
【００５２】
［光学部材の製造方法の第１の実施の形態］
この光学部材の製造方法の第１の実施の形態を、図５に基づいて説明する。図５は光学部材の製造方法の第１の実施の形態を示す外形模式図である。
【００５３】
この第１の実施の形態は、図１及び図２に示す光学部材１を製造する方法であり、カラーフィルタ基板巻き出し部３０１から長尺のカラーフィルタ基板３を巻き出す。粘着剤層巻き出し部４０１から長尺の粘着剤層保護フィルム４００を巻き出し、この粘着剤層保護フィルム４００は一方の保護フィルム４００ａと他方の保護フィルム４００ｂで両面を保護された粘着剤層４を有し、第１の剥離部４０２ａで一方の保護フィルム４００ａを粘着剤層４から剥離し、第１の粘着剤層保護フィルム巻き取り部４０２に一方の保護フィルム４００ａを巻き取る。
粘着剤層貼合部４０３では、カラーフィルタ基板３に他方の保護フィルム４００ｂに保護されている粘着剤層４を貼り合わせ、この貼り合わせ後に第２の剥離部４０４ａで粘着剤層４の他方の保護フィルム４００ｂを粘着剤層４から剥離し、第２の粘着剤層保護フィルム巻き取り部４０４に他方の保護フィルム４００ｂを巻き取る。
【００５４】
光学フィルム層巻き出し部２０１から長尺の光学フィルム層２を巻き出し、光学フィルム貼合部２０２で光学フィルム層２を粘着剤層４に貼り合わせ、この貼り合わせによって光学部材１を形成し、光学部材巻き取り部１０１にロール状に巻き取る。
【００５５】
このように、光学部材１の総厚が０．３ｍｍ以下であり、カラーフィルタ基板３の基板のカラーフィルタ層２が形成されない側の面に粘着剤層４を介して光学フィルム層２を形成する工程の後、光学部材１をロール状に巻き取る工程を備え、光学部材１の総厚が０．３ｍｍ以下であると、光学部材巻き取り部１０１の巻き取りロールコア径は３インチ乃至４インチ程度まで細くすることが可能であり、より長尺のロール状の光学部材１を１本のロールにすることができる。その結果、ロール・ツー・ロール方式でのカラー液晶表示装置の製造に用いた場合に、ロール状の光学部材１の交換による製造時間並びに部材のロスが低減され、生産性が向上し、低コストが可能となる。光学部材１の総厚が０．３ｍｍを越える厚さでは、１本のロールに対しての巻き長さが少なくなる。
【００５６】
［光学部材の製造方法の第２の実施の形態］
この光学部材の製造方法の第２の実施の形態を、図６に基づいて説明する。図６は光学部材の製造方法の第２の実施の形態を示す外形模式図である。
【００５７】
この第２の実施の形態は、図３及び図４に示す光学部材１を製造する方法であり、楕円偏光板供給部６０１からシート状の楕円偏光板６０を楕円偏光板供給手段６０３によって楕円偏光板供給台６０２に供給する。楕円偏光板供給台６０２は、Ａ位置とＢ位置との間を往復し、Ａ位置は楕円偏光板６０を受け取る位置であり、Ｂ位置は楕円偏光板６０を粘着剤層４に貼り合わせる位置である。楕円偏光板供給台６０２は、Ａ位置で楕円偏光板供給手段６０３の駆動によって移動する楕円偏光板６０を受け取り、Ｂ位置へ移動し、楕円偏光板貼合手段６０４により、楕円偏光板６０をキャリアフィルム５の保護フィルム５ｂで保護された粘着剤層５ａに貼り付ける。
【００５８】
楕円偏光板貼合手段６０４は、表面がゴム製の貼合ロールである。楕円偏光板供給部６０１は、シート状の楕円偏光板が多数枚重ねておける台である。楕円偏光板供給手段６０３は、真空吸着板でシート状の楕円偏光板を楕円偏光板供給部６０１から取り出し、Ａ位置で楕円偏光板供給台６０２に受け渡すことができる機構を有している。シート状の楕円偏光板の取り出しと受け渡しの手段は、微粘着剤で軽く粘着させるなど、真空吸着板以外の方法でも構わない。本実施例では図示していないが、シート状の楕円偏光板６０をキャリアフィルム５に貼り付ける場合、両者の位置合わせを行うための機能、例えばＣＣＤカメラと画像認識装置などがあってもよい。
【００５９】
キャリアフィルム５は、粘着剤層５ａの一方を保護フィルム５ｃで保護され、他方を保護フィルム５ｂで保護されており、キャリアフィルム巻き出し部５０１は、キャリアフィルム５を巻き出し、一方の保護フィルム５ｃを剥離部５０２ａで剥離してキャリアフィルム保護フィルム巻き取り部５０２に巻き取る。キャリアフィルム５は、微粘着ＰＥＴフィルムなどが用いられる。キャリアフィルム５の厚さは、例えば、５０〜１５０μｍ程度である。
【００６０】
Ｂ位置には、楕円偏光板貼合手段６０４が配置されており、楕円偏光板供給台６０２をＢ位置に停止させた状態で、楕円偏光板貼合手段６０４がキャリアフィルム５の搬送方向に対して反対方向に移動し、粘着剤層５ａに楕円偏光板６０を貼り合わせる。楕円偏光板６０のキャリアフィルム５に貼り合せる面側には、予め保護フィルム（図示せず）が貼られていても良く、その場合には、楕円偏光板供給台がＡ位置からＢ位置に移動する間に当該保護フィルムを楕円偏光板から除去する。
【００６１】
粘着剤層巻き出し部４０１から長尺の粘着剤層保護フィルム４００を巻き出し、第１の剥離部４０２ａで一方の保護フィルム４００ａを粘着剤層４から剥離し、第１の粘着剤層保護フィルム巻き取り部４０２に一方の保護フィルム４００ａを巻き取る。粘着剤層貼合部４０３で他方の保護フィルム４００ｂの粘着剤層４を、キャリアフィルム５に貼り合わせ、シート状の楕円偏光板６０に粘着剤層４を貼り合わせ、この貼り合わせ後に第２の剥離部４０４ａで粘着剤層４の他方の保護フィルム４００ｂを粘着剤層４から剥離し、第２の粘着剤層保護フィルム巻き取り部４０４に他方の保護フィルム４００ｂを巻き取り、光学フィルム貼合部２０２へ搬送する。
【００６２】
カラーフィルタ基板巻き出し部３０１から長尺のカラーフィルタ基板３を巻き出し、光学フィルム貼合部２０２でカラーフィルタ基板３を粘着剤層４に貼り合わせ、この貼り合わせによって光学部材１を形成し、光学部材巻き取り部１０１にロール状に巻き取る。
【００６３】
このように、光学フィルム層２は、シート状の楕円偏光板６０が、少なくとも２枚以上カラーフィルタ基板３上の長尺の長手方向に平行に配置して形成され、液晶の配列方向と光学フィルム層２の光軸の方向とのばらつきが少なく、表示特性に優れたカラー液晶表示装置を可能とする、薄型で長尺な光学部材１を得ることができる。また、カラーフィルタ基板３の画素配列の方向と光学フィルム層２の光軸とのばらつきが少なく、表示特性に優れたカラー液晶表示装置を可能とする、薄型で長尺な光学部材を簡便に製造することができる。
【産業上の利用可能性】
【００６４】
この発明は、カラーフィルタ機能と偏光機能を有する光学部材に関し、特に、今までにない薄型で長尺なロール状に巻き取ることができる光学部材とその製造方法に適用でき、カラーフィルタ機能と偏光機能を有し、表示特性に優れた薄型で長尺なロール状に巻き取ることができる。以上、この明細書ではカラー液晶表示装置について記載してきたが、この発明はカラー有機ＥＬディスプレイなど、カラーフィルタ機能と偏光機能を有する各種画像表示装置に適用可能である。
【符号の説明】
【００６５】
１  光学部材
２  光学フィルム層
３  カラーフィルタ基板
３ａプラスチックフィルムの基板
３ｂ  カラーフィルタ層
４  粘着剤層
５キャリアフィルム
５ａ  粘着剤層
５ｂ保護フィルム
５ｃ保護フィルム
１１偏光板
２２  １／２波長板
３３  １／４波長板
４５  粘着剤層
４６  粘着剤層
６０  シート状の楕円偏光板
１０１光学部材巻き取り部
２０１  光学フィルム層巻き出し部
２０２  光学フィルム貼合部
３０１  カラーフィルタ基板巻き出し部
４００粘着剤層保護フィルム
４００ａ一方の保護フィルム
４００ｂ他方の保護フィルム
４０１  粘着剤層巻き出し部
４０２  第１の粘着剤層保護フィルム巻き取り部
４０２ａ  第１の剥離部
４０３  粘着剤層貼合部
４０４  第２の粘着剤層保護フィルム巻き取り部
４０４ａ  第２の剥離部
６０１  楕円偏光板供給部
６０２  楕円偏光板供給台
６０３  楕円偏光板供給手段
６０４  楕円偏光板貼合手段
【図１】
0005606013.tif 000002
【図２】
0005606013.tif 000003
【図３】
0005606013.tif 000004
【図４】
0005606013.tif 000005
【図５】
0005606013.tif 000006
【図６】
0005606013.tif 000007